(57)【要約】【課題】対象文章を象徴的に表すコンサイス表現（簡易文）を、ユーザの周辺状況や行動履歴に応じて推定する携帯端末用のプログラム等を提供する。【解決手段】複数の簡易文と、当該簡易文毎に対応付けられた連想語及び位置名称を、予め記憶した簡易文記憶手段と、入力された対象文章における各単語の出現頻度に応じて、特徴的な複数の重要語を抽出する重要語抽出手段と、簡易文記憶手段を参照し、重要語と一致又は意味的に近い連想語を検出し、該連想語を含む簡易文を検索する連想語マッチング手段と、当該携帯端末の位置する場所の位置名称を取得する位置名称取得手段と、簡易文記憶手段を参照し、簡易文検出手段によって検出された簡易文の中で、位置名称取得手段によって取得された位置名称が対応付けられた簡易文を更に絞り込んで検索する簡易文検索手段としてコンピュータを機能させる。【選択図】図１
2016004567.tif 000002
【特許請求の範囲】
【請求項１】
対象文章を象徴する簡易文を推定するように、携帯端末に搭載されたコンピュータを機能させるプログラムであって、
複数の簡易文と、当該簡易文毎に対応付けられた連想語及び位置名称を、予め記憶した簡易文記憶手段と、
入力された対象文章における各単語の出現頻度に応じて、特徴的な複数の重要語を抽出する重要語抽出手段と、
前記簡易文記憶手段を参照し、前記重要語と一致又は意味的に近い連想語を検出し、該連想語を含む簡易文を検索する連想語マッチング手段と、
当該携帯端末の位置する場所の位置名称を取得する位置名称取得手段と、
前記簡易文記憶手段を参照し、前記簡易文検出手段によって検出された前記簡易文の中で、前記位置名称取得手段によって取得された前記位置名称が対応付けられた簡易文を更に絞り込んで検索する簡易文検索手段と
してコンピュータを機能させることを特徴とするプログラム。
【請求項２】
前記位置名称取得手段は、過去に位置した複数の場所の位置名称の中で、最も取得頻度が高い位置名称を導出する
ようにコンピュータを機能させることを特徴とする請求項１に記載のプログラム。
【請求項３】
前記位置名称取得手段は、現在位置する場所の位置名称を取得する
ようにコンピュータを機能させることを特徴とする請求項１に記載のプログラム。
【請求項４】
前記位置名称取得手段は、ユーザ操作によってＳＮＳ(Social Networking Service)に対する位置登録（チェックイン機能）したスポット名を、前記位置名称として取得する
ようにコンピュータを機能させることを特徴とする請求項１から３のいずれか１項に記載のプログラム。
【請求項５】
前記簡易文は、名言、格言、ことわざ、俳句、川柳、キャッチフレーズ、コンサイス・キャプションである
ようにコンピュータを機能させることを特徴とする請求項１から４のいずれか１項に記載のプログラム。
【請求項６】
連想語マッチング手段は、重要語毎に、複数の連想語それぞれの意味的距離を検索し、該意味的距離が所定値以上短い連想語を含む複数の簡易文を選択する
ようにコンピュータを機能させることを特徴とする請求項１から５ののいずれか１項に記載のプログラム。
【請求項７】
前記重要語抽出手段は、ＴＦ−ＩＤＦ（Term Frequency - Inverse Document Frequency：単語の出現頻度−逆出現頻度）又はＤＦ(Document Frequency)を用いて、重要語を抽出する
ようにコンピュータを機能させることを特徴とする請求項１から６のいずれか１項に記載のプログラム。
【請求項８】
簡易文検索手段は、複数の対象文章の題目と、当該対象文章に対して検出された前記簡易文とをを組み合わせて、リスト状に検索結果として出力する
ようにコンピュータを機能させることを特徴とする請求項１から７のいずれか１項に記載のプログラム。
【請求項９】
対象文章を象徴する簡易文を推定する携帯端末であって、
複数の簡易文と、当該簡易文毎に対応付けられた連想語及び位置名称を、予め記憶した簡易文記憶手段と、
入力された対象文章における各単語の出現頻度に応じて、特徴的な複数の重要語を抽出する重要語抽出手段と、
前記簡易文記憶手段を参照し、前記重要語と一致又は意味的に近い連想語を検出し、該連想語を含む簡易文を検索する連想語マッチング手段と、
当該携帯端末の位置する場所の位置名称を取得する位置名称取得手段と、
前記簡易文記憶手段を参照し、前記簡易文検出手段によって検出された前記簡易文の中で、前記位置名称取得手段によって取得された前記位置名称が対応付けられた簡易文を更に絞り込んで検索する簡易文検索手段と
を有することを特徴とする携帯端末。
【請求項１０】
携帯端末からクエリを受信し、該クエリに対応する１つ以上の対象文章を検索し、該対象文章を象徴する簡易文を推定し、該簡易文を端末へ返信するサーバであって、
大量の対象文章を記憶した対象文章データベースと、
前記クエリに対して、前記対象文章データベースを用いて、１つ以上の対象文章を検索する対象文章検索手段と、
複数の簡易文と、当該簡易文毎に対応付けられた連想語及び位置名称を、予め記憶した簡易文記憶手段と、
入力された対象文章における各単語の出現頻度に応じて、特徴的な複数の重要語を抽出する重要語抽出手段と、
前記簡易文記憶手段を参照し、前記重要語と一致又は意味的に近い連想語を検出し、該連想語を含む簡易文を検索する連想語マッチング手段と、
当該携帯端末の位置する場所の位置名称を受信する位置名称受信手段と、
前記簡易文記憶手段を参照し、前記簡易文検出手段によって検出された前記簡易文の中で、前記位置名称取得手段によって取得された前記位置名称が対応付けられた簡易文を更に絞り込んで検索する簡易文検索手段と
を有することを特徴とするサーバ。
【請求項１１】
請求項１０に記載のサーバと、該サーバと通信可能な携帯端末とを有するシステムであって、
前記携帯端末は、
ユーザ操作によってＳＮＳ(Social Networking Service)に対する位置登録（チェックイン機能）したスポット名を、前記位置名称として取得する位置名称取得手段と、
ユーザ操作に基づく前記クエリと前記位置名称とを、前記サーバへ送信するクエリ送信手段と、
前記サーバから、少なくとも１つ以上の前記対象文章の題目と前記簡易文とを受信し、ユーザに明示する簡易文受信手段と
を有することを特徴とするシステム。
【発明の詳細な説明】
【技術分野】
【０００１】
本発明は、対象文章の意味的内容を象徴する文を提示する技術に関する。
【背景技術】
【０００２】
戸外の公共／商業施設等における周辺状況の変化に応じて、予め用意されたコンテンツ（例えば広告情報）を、ユーザの端末へプッシュ的に送信する技術がある。コンテンツの内容やその送信タイミングは、通常、情報配信者側の制御下にあると考えられる。一方で、情報利用者側は、バックグラウンドで収集される膨大なコンテンツの中から、個人の興味に応じたコンテンツを選択する必要がある。このとき、コンテンツ選択の判断材料となるタイトルやメタタグ的情報は、コンテンツ作成者側によって付与されたものであって、情報利用者の周辺状況とは全く無関係なものである。
【０００３】
従来、デモグラフィックな基本属性、嗜好特性、心理的特性等のユーザ特性に基づいて、ユーザに適した商品を選択し、ユーザに訴えるセールストークや製品説明を加えて広告情報を提供する技術がある（例えば特許文献１参照）。また、ユーザとの対話に基づいて意外性のあるキャッチフレーズを生成する技術もある（例えば非特許文献１参照）。
【０００４】
尚、Ｗｅｂページに記述された長い対象文章も短時間で圧縮し、ブラウザで閲覧することができるテキスト要約技術もある。この技術によれば、対象文章に対して、要約を更に進めて、文やキーワードにまで凝縮させることもできる。但し、テキスト要約技術は、論理的な意味のまとまりとなるパラグラフ的な文章を生成するに留まる。
【先行技術文献】
【特許文献】
【０００５】
【特許文献１】再公表０１−０６７３１９号公報
【非特許文献】
【０００６】
【非特許文献１】中野俊亮・鬼沢武久、「ユーザ対話による意外性を持つキャッチフレーズ作成支援」、情報処理学会第70回全国大会論文集 6U-8、2008.03、[online]、［平成２６年６月１５日検索］、インターネット＜URL:http://ci.nii.ac.jp/naid/110006865407＞
【発明の概要】
【発明が解決しようとする課題】
【０００７】
例えば様々なニュース記事やブログ記事を、コンサイス表現としての「名言」「格言」「ことわざ」「俳句」「川柳」（以下「簡易文」という）で例えることによって、利用者に、その内容を直感的に理解させることができる。ここで、本願の発明者らは、対象文章に、コンサイス表現としての簡易文を対応付けることはできないか？と考えた。即ち、ニュース記事やブログ文章のような対象文章から、人として共感できる「コンサイス表現」を検索することができないか？、と考えた。このようなコンサイス表現は、対象文章に出現する単語を単に組み合わせても得られるものではない。対象文章の意味的内容を凝縮した、納得性の高いコンサイス表現を明示することができれば、利用者は、それを一見しただけで直感的に理解して共感することができる。
【０００８】
また、本願の発明者らは、ユーザの周辺状況や行動履歴に応じて、当該ユーザ自身が共感できるコンサイス表現も変化するのではないか？と考えた。ユーザにとって、膨大なコンテンツの中から、その周辺状況や行動履歴に応じて、コンテンツの選択材料となる注目すべきコンサイス表現を提示することは有用であると考えた。
【０００９】
そこで、本発明は、対象文章を象徴的に表すコンサイス表現（簡易文）を、ユーザの周辺状況や行動履歴に応じて推定することができるプログラム、装置及びサーバを提供することを目的とする。
【課題を解決するための手段】
【００１０】
本発明によれば、対象文章を象徴する簡易文を推定するように、携帯端末に搭載されたコンピュータを機能させるプログラムであって、
複数の簡易文と、当該簡易文毎に対応付けられた連想語及び位置名称を、予め記憶した簡易文記憶手段と、
入力された対象文章における各単語の出現頻度に応じて、特徴的な複数の重要語を抽出する重要語抽出手段と、
簡易文記憶手段を参照し、重要語と一致又は意味的に近い連想語を検出し、該連想語を含む簡易文を検索する連想語マッチング手段と、
当該携帯端末の位置する場所の位置名称を取得する位置名称取得手段と、
簡易文記憶手段を参照し、簡易文検出手段によって検出された簡易文の中で、位置名称取得手段によって取得された位置名称が対応付けられた簡易文を更に絞り込んで検索する簡易文検索手段と
してコンピュータを機能させることを特徴とする。
【００１１】
本発明のプログラムにおける他の実施形態によれば、
位置名称取得手段は、過去に位置した複数の場所の位置名称の中で、最も取得頻度が高い位置名称を導出する
ようにコンピュータを機能させることも好ましい。
【００１２】
本発明のプログラムにおける他の実施形態によれば、
位置名称取得手段は、現在位置する場所の位置名称を取得する
ようにコンピュータを機能させることも好ましい。
【００１３】
本発明のプログラムにおける他の実施形態によれば、
位置名称取得手段は、ユーザ操作によってＳＮＳ(Social Networking Service)に対する位置登録（チェックイン機能）したスポット名を、位置名称として取得する
ようにコンピュータを機能させることも好ましい。
【００１４】
本発明のプログラムにおける他の実施形態によれば、
簡易文は、名言、格言、ことわざ、俳句、川柳、キャッチフレーズ、コンサイス・キャプションである
ようにコンピュータを機能させることも好ましい。
【００１５】
本発明のプログラムにおける他の実施形態によれば、
連想語マッチング手段は、重要語毎に、複数の連想語それぞれの意味的距離を検索し、該意味的距離が所定値以上短い連想語を含む複数の簡易文を選択する
ようにコンピュータを機能させることも好ましい。
【００１６】
本発明のプログラムにおける他の実施形態によれば、
重要語抽出手段は、ＴＦ−ＩＤＦ（Term Frequency - Inverse Document Frequency：単語の出現頻度−逆出現頻度）又はＤＦ(Document Frequency)を用いて、重要語を抽出する
ようにコンピュータを機能させることも好ましい。
【００１７】
本発明のプログラムにおける他の実施形態によれば、
簡易文検索手段は、複数の対象文章の題目と、当該対象文章に対して検出された簡易文とをを組み合わせて、リスト状に検索結果として出力する
ようにコンピュータを機能させることも好ましい。
【００１８】
本発明によれば、対象文章を象徴する簡易文を推定する携帯端末であって、
複数の簡易文と、当該簡易文毎に対応付けられた連想語及び位置名称を、予め記憶した簡易文記憶手段と、
入力された対象文章における各単語の出現頻度に応じて、特徴的な複数の重要語を抽出する重要語抽出手段と、
簡易文記憶手段を参照し、重要語と一致又は意味的に近い連想語を検出し、該連想語を含む簡易文を検索する連想語マッチング手段と、
当該携帯端末の位置する場所の位置名称を取得する位置名称取得手段と、
簡易文記憶手段を参照し、簡易文検出手段によって検出された簡易文の中で、位置名称取得手段によって取得された位置名称が対応付けられた簡易文を更に絞り込んで検索する簡易文検索手段と
を有することを特徴とする。
【００１９】
本発明によれば、携帯端末からクエリを受信し、該クエリに対応する１つ以上の対象文章を検索し、該対象文章を象徴する簡易文を推定し、該簡易文を端末へ返信するサーバであって、
大量の対象文章を記憶した対象文章データベースと、
クエリに対して、対象文章データベースを用いて、１つ以上の対象文章を検索する対象文章検索手段と、
複数の簡易文と、当該簡易文毎に対応付けられた連想語及び位置名称を、予め記憶した簡易文記憶手段と、
入力された対象文章における各単語の出現頻度に応じて、特徴的な複数の重要語を抽出する重要語抽出手段と、
簡易文記憶手段を参照し、重要語と一致又は意味的に近い連想語を検出し、該連想語を含む簡易文を検索する連想語マッチング手段と、
当該携帯端末の位置する場所の位置名称を受信する位置名称受信手段と、
簡易文記憶手段を参照し、簡易文検出手段によって検出された簡易文の中で、位置名称取得手段によって取得された位置名称が対応付けられた簡易文を更に絞り込んで検索する簡易文検索手段と
を有することを特徴とする。
【００２０】
本発明によれば、前述したサーバと、該サーバと通信可能な携帯端末とを有するシステムであって、
携帯端末は、
ユーザ操作によってＳＮＳ(Social Networking Service)に対する位置登録（チェックイン機能）したスポット名を、位置名称として取得する位置名称取得手段と、
ユーザ操作に基づくクエリと位置名称とを、サーバへ送信するクエリ送信手段と、
サーバから、少なくとも１つ以上の対象文章の題目と簡易文とを受信し、ユーザに明示する簡易文受信手段と
を有することを特徴とする。
【発明の効果】
【００２１】
本発明のプログラム、装置及びサーバによれば、対象文章を象徴的に表すコンサイス表現（簡易文）を、ユーザの周辺状況や行動履歴に応じて推定することができる。これによって、対象文章に接した利用者は、その周辺状況や行動履歴に応じたコンサイス表現を一見しただけで、その対象文章の意味的内容に直感的に共感して理解することができる。
【図面の簡単な説明】
【００２２】
【図１】本発明における携帯端末の機能構成図である。
【図２】簡易文記憶部、簡易文記憶部、重要語抽出部及び連想語マッチング部の処理を表す説明図である。
【図３】簡易文選択部及び位置名称取得部の処理を表す第１の説明図である。
【図４】簡易文選択部及び位置名称取得部の処理を表す第２の説明図である。
【図５】本発明における簡易文検索サーバを有するシステム構成図である。
【発明を実施するための形態】
【００２３】
以下、本発明の実施の形態について、図面を用いて詳細に説明する。
【００２４】
図１は、本発明における携帯端末の機能構成図である。
【００２５】
携帯端末１は、ユーザの周辺状況や行動履歴に応じて、入力された対象文章を象徴する簡易文を推定する。図１によれば、携帯端末１は、ネットワークを介して外部のコンテンツサーバ２やＳＮＳ(Social Networking Service)サーバ３と通信する通信インタフェース１０１と、タッチパネルディスプレイのようなユーザインタフェース１０２とを有する。
【００２６】
また、携帯端末１は、簡易文記憶部１１０と、対象文取得部１１１と、重要語抽出部１１２と、連想語マッチング部１１３と、ＳＮＳアプリケーション１１４と、位置名称取得部１１５と、簡易文検索部１１６とを有する。これら機能構成部は、携帯端末に搭載されたコンピュータを機能させるプログラムを実行させることによって実現できる。また、これら機能の処理の流れは、装置を用いた簡易文検索方法としても理解できる。
【００２７】
［簡易文記憶部１１０］
簡易文記憶部１１０は、複数の簡易文と、当該簡易文毎に対応付けられた連想語及び位置名称を、予め記憶したものである。簡易文とは、「名言」、「格言」、「ことわざ」、「俳句」、「川柳」、「キャッチフレーズ」、「四文字熟語」、「コンサイス・キャプション」のような、直感的に人の感情様相を理解させる文である。コンサイス表現としての簡易文は、非常に短く、比喩的な表現が用いられ、イメージ喚起力の高いテキスト表現である。そのために、その簡易文に直接的に含まれる単語そのものを抽出しても、その簡易文の意図を特徴付けることにはならない。
【００２８】
図２は、簡易文記憶部、重要語抽出部及び連想語マッチング部の処理を表す説明図である。
【００２９】
図２によれば、簡易文として、例えば以下のようなものが記憶されているとする。
-------------------------------------------------------------------------------
［コンサイス表現］    ［第１の連想語リスト］    ［位置名称］
薔薇色の人生            花／幸福／生活          ＊（デフォルト）
恋の花咲くこともある    花／恋愛／期待          テーマパーク
花より団子              桜／比較／グルメ        飲食店
雨ニモ負ケズ            悪天候／不屈／精神      社寺
・・・・・
-------------------------------------------------------------------------------
【００３０】
（１）コンサイス表現「薔薇色の人生」を提示するに適した連想語として、「花／幸福／生活」が記憶されている。ここでは、位置名称は＊（デフォルト）であって、いずれも位置名称も問わない。
（２）コンサイス表現「恋の花咲くこともある」を提示するに適した連想語として、「花／恋愛／期待」が記憶されている。ここでは、位置名称は「テーマパーク」であり、周辺状況や行動履歴に「テーマパーク」が関連する場合、このコンサイス表現が優先的に提示される。
（３）コンサイス表現「花より団子」を提示するに適した連想語として、「桜／比較／グルメ」が記憶されている。ここでは、位置名称は「飲食店」であり、周辺状況や行動履歴に「飲食店」が関連する場合、このコンサイス表現が優先的に提示される。
（４）コンサイス表現「雨ニモ負ケズ」を提示するに適した連想語として、「悪天候／不屈／精神」が記憶されている。ここでは、位置名称は「社寺」であり、周辺状況や行動履歴に「社寺」が関連する場合、このコンサイス表現が優先的に提示される。
【００３１】
尚、他の実施形態として、簡易文記憶部１１０は、テーマに関する「テーマ連想語」と、人の感情に関する「感情連想語」とに区分して記憶しておくことも好ましい。
【００３２】
［対象文取得部１１１］
対象文取得部１１１は、コンテンツサーバ２から対象文章を取得する。取得された対象文章は、重要語抽出部１１２へ出力される。対象文章は、例えばニュース記事やブログ記事であってもよい。図２によれば、携帯端末１に、例えば以下のように単一話題の「ニュース記事」が、対象文章として入力されたとする。
-------------------------------------------------------------------------------
タイトル    ：「世界のバラ園芸ショウが開催」
日時        ：2014年5月10日（土）〜16日（金）
場所        ：西ドーム
内容テキスト：世界のバラと美しい園芸をご紹介する国内最大規模の祭典として知られるこの催しは、バラと園芸が持つ魅力をご紹介しながら、新しいライフスタイルを多くの人々にご提案し、自然と共生しながら、新しい文化の魅力を再発見していただくことを目的としており、海外からもユニークなイベントとして高い評価を受けています。国内外のバラや園芸のスペシャリストたちが、それぞれの“バラ色の人生”という表現にぴったりなライフスタイルを紹介します。
-------------------------------------------------------------------------------
そして、携帯端末１は、この「ニュース記事」（対象文章）を象徴する「コンサイス表現」（簡易文）を推定する。
【００３３】
［重要語抽出部１１２］
重要語抽出部１１２は、入力された対象文章における各単語の出現頻度に応じて、特徴的な複数の重要語を抽出する。対象文章に陽に含まれる重要語は、その対象文章を特徴付けている。
【００３４】
重要語抽出部１１２は、最初に、対象文章から、形態素解析によって単語を抽出する。ここで、「形態素解析」とは、文章を、意味のある単語に区切り、辞書を利用して品詞や内容を判別する技術をいう。「形態素」とは、文章の要素のうち、意味を持つ最小の単位（単語を含む）を意味する。
【００３５】
次に、重要語抽出部１１２は、単語毎の出現頻度に応じて、特徴的な複数の重要語を抽出する。最も簡単な方法としては、単なる出現頻度＝出現回数であってもよい。また、重要語の所定数を、例えば上位１００個として抽出するものであってもよいし、重要語の割合を、例えば上位３０％として抽出するものであってもよい。
【００３６】
他の実施形態として、出現頻度は、自立語に注目したＴＦ−ＩＤＦ（Term Frequency - Inverse Document Frequency：単語の出現頻度−逆出現頻度）値であってもよい。ＴＦ−ＩＤＦとは、文章中に出現した単語がどのくらい特徴的であるかを識別するための指標をいう。ＴＦ(term frequency)は、その文章の中でその単語が出現した回数を表し、ＩＤＦ(inverse document frequency)は、コーパス全体の中でその文章を含む文章数の自然対数を表す。そして、ＴＦ値×ＩＤＦ値が、その文章中におけるその単語のＴＦ−ＩＤＦ値となる。高いＴＦ−ＩＤＦ値を持つ単語ほど、話題性が高い（重要）であると認識される。
【００３７】
更に、他の実施形態として、出現頻度は、当該重要語が出現する対象文章の数を表すＤＦ(Document Frequency)値であってもよい。例えば各対象文章について、その重要語の数となる。
【００３８】
更に、他の実施形態として、対象文章が複数のパラグラフ（段落）から構成されている場合、一般に、各パラグラフの先頭文は重要であることが多い。そこで、パラグラフ先頭部分に含まれる単語は、その重みωを例えば２倍に設定した重要語候補とすることもできる。
【００３９】
図２によれば、前述の対象文章からは、例えば以下の重要語が抽出されたとする。
-------------------------------------------------------------------------------
［第２の連想語リスト］  世界／バラ／園芸／開催／祭典／魅力／文化／人生
-------------------------------------------------------------------------------
【００４０】
［連想語マッチング部１１３］
連想語マッチング部１１３は、簡易文記憶部１１０を参照し、重要語と一致又は意味的に近い連想語を検出し、その連想語を含む簡易文を検索する。特に、重要語毎に、複数の連想語それぞれの意味的距離を検索し、その意味的距離が所定値以上短い連想語を含む複数の簡易文を選択する。
【００４１】
連想語マッチング部１１３は、簡易文毎の第１の連想語リストの群の中で、第２の連想語リストに最も類似する第１の連想語リストを検索する。具体的には、以下のステップを実行する。また、第２の連想語リストに類似する複数の第１の連想語リストを順に、ランク付け（尤度順）するものであってもよい。連想語リスト間の類似度が高いほど、対象文章と簡易文との間で親和性が高いことを意味する。
【００４２】
対象文章ｘの第２の連想語リストＸ
Ｘ      ：（Ｗｘ１、Ｗｘ２、・・・、Ｗｘｍ）
簡易文Ｃ１〜Ｃｎ毎の第１の連想語リストＹの群
Ｙ（Ｃ１）：（Ｗ１１、Ｗ１２、・・・、Ｗ１ｍ）
Ｙ（Ｃ２）：（Ｗ２１、Ｗ２２、・・・、Ｗ２ｍ）
・・・・・
Ｙ（Ｃｎ）：（Ｗｎ１、Ｗｎ２、・・・、Ｗｎｍ）
ここで、ｍは、尤度の信頼性を考慮して、３〜５程度の値であることが好ましい。
【００４３】
第２の連想語リストＸと、各第１の連想語リストＹ（Ｃｎ）との間の類似度は、単語間の距離関係を統計的な出現頻度に基づいて導出した知識源データベースを参照することも好ましい。知識源データベースとしては、例えば日本語ＷｏｒｄＮｅｔがある（例えば非特許文献３参照）。
【００４４】
最初に、対象文章Ｘにおける第２の連想語リストの連想語毎に、複数の簡易文Ｃ１〜Ｃｎにおける各第１の連想語リストの連想語それぞれの意味的距離を検索し、当該距離が最短となる連想語ペアを導出し、連想語ペアの意味的距離の平均距離又は累積距離を算出する。
ＸとＹ（Ｃ１）との連想語間の距離Ｐを、以下のように算出する。
（Ｓ１）Ｗｘ１について、Ｗ１１、Ｗ１２、・・・、Ｗ１ｍ毎に、以下の距離Ｐｘ１を算出する。
Ｐ（Ｗｘ１、Ｗ１１）、Ｐ（Ｗｘ１、Ｗ１２）、・・・、Ｐ（Ｗｘ１、Ｗ１ｍ）
そして、Ｗｘ１について、最も距離Ｐが短いＷ１１〜Ｗ１ｍを選択し、その距離Ｐｘ１を記憶する。
（Ｓ２）Ｗｘ２について、Ｗ１１、Ｗ１２、・・・、Ｗ１ｍ毎に、以下の距離Ｐを算出する。
Ｐ（Ｗｘ２、Ｗ１１）、Ｐ（Ｗｘ２、Ｗ１２）、・・・、Ｐ（Ｗｘ２、Ｗ１ｍ）
そして、Ｗｘ２について、最も距離Ｐが短いＷ１１〜Ｗ１ｍを選択し、その距離Ｐｘ２を記憶する。
・・・・
（Ｓｍ）Ｗｘｍについて、Ｗ１１、Ｗ１２、・・・、Ｗ１ｍ毎に、以下の距離Ｐを算出する。
Ｐ（Ｗｘｍ、Ｗ１１）、Ｐ（Ｗｘｍ、Ｗ１２）、・・・、Ｐ（Ｗｘｍ、Ｗ１ｍ）
そして、Ｗｘｎについて、最も距離Ｐが短いＷ１１〜Ｗ１ｍを選択し、その距離Ｐｘｎを記憶する。
最後に、これら距離Ｐｘ１〜Ｐｘｎの平均距離ＰＡを、ＸとＹ（Ｃ１）との間の距離とする。
次いで、Ｘに対して、Ｙ（Ｃ２）〜Ｙ（Ｃｎ）とのそれぞれについて連想語間の平均距離を算出する。
【００４５】
そして、最終的に、対象文章Ｘにおける第２の連想語リストに対して、平均距離又は累積距離（上位数件の最短距離における累積）が所定閾値以下となる第１の連想語リストＹ（Ｃ）を複数選択する。尚、上位から所定数までのＹ（Ｃ）をランキング（尤度順）として導出するものであってもよい。
【００４６】
図２によれば、以下の３つのコンサイス表現が検索されたとする。
「薔薇色の人生」
「恋の花咲くこともある」
「花より団子」
【００４７】
［ＳＮＳアプリケーション１１４］
ＳＮＳアプリケーション１１４は、ＳＮＳサーバ４のＷｅｂサイトにアクセスするアプリケーションである。ＳＮＳは、人間のコミュニケーションを円滑にするサービスであって、例えばfacebook（登録商標）やfoursquare（登録商標）が普及している。このようなＳＮＳアプリケーションには、「チェックイン機能（又はスポット機能）」がある。この機能は、ＳＮＳについては、自分の現在位置を知人に知らせることを意味する。ユーザの携帯端末は、現在位置を、ＧＰＳや移動体通信基地局を用いて特定する。これによって、自分の現在位置に基づくコミュニケーションを実現することができる。
【００４８】
例えばスマートフォンであれば、チェックイン機能は、アプリケーションの起動によって、現在位置から近隣のスポットが地図上に表示される。そして、ユーザは、チェックインする場所をタップすることによって、ユーザの位置が特定され、友達のニュースフィードや、「最近のアクティビティ」のセクションに、チェックインしたという記事が自動的に公開されることとなる。この機能によれば、携帯端末を所持するユーザは、例えば商店街を歩行中に、その場所に関係するローカルスポット情報に対して、アプリケーションからメッセージを投稿することができる。
【００４９】
［位置名称取得部１１５］
位置名称取得部１１５は、ＳＮＳアプリケーション１１４を介して、当該携帯端末１の位置する場所の「位置名称」を取得する。位置名称取得部１１５は、ユーザ操作によってＳＮＳに対する位置登録（チェックイン機能）したスポット名を、位置名称として取得する。
【００５０】
ＳＮＳのチェックイン機能によれば、固有名詞としての位置名称（例えば店名）に加えて、そのカテゴリとして位置名称（例えばその店舗が提供するサービスのカテゴリ名）も取得することができる。例えば、位置名称として、以下のようなカテゴリも同時に取得することができる。
テーマパーク／ショッピングモール／飲食店／病院／学校／・・・・
【００５１】
位置名称取得部１１５は、以下の２つのパターンいずれかを、簡易文検索部１１６へ出力する。
（パターン１）現在位置する場所の位置名称
（パターン２）過去に位置した複数の場所の位置名称の中で、最も取得頻度が高い位置名称
【００５２】
図３は、簡易文選択部及び位置名称取得部の処理を表す第１の説明図である。図３は、パターン１に基づく。
図４は、簡易文選択部及び位置名称取得部の処理を表す第２の説明図である。図４は、パターン２に基づく。
【００５３】
［簡易文検索部１１６］
簡易文検索部１１６は、簡易文記憶部１１０を参照し、連想語マッチング部１１３によって検出された簡易文の中で、位置名称取得部１１５によって取得された位置名称が対応付けられた簡易文を更に絞り込んで検索する。
【００５４】
図３（パターン１）によれば、携帯端末１を所持するユーザが、現にテーマパークに滞在しており、その場所でＳＮＳでチェックインしたとする。このとき、位置名称取得部１１５は、ＳＮＳのチェックインによって取得した「テーマパーク」を、簡易文検索部１１６へを出力する。簡易文検索部１１６は、連想語マッチング部１１３から入力した複数のコンサイス表現の中で、位置名称「テーマパーク」が登録された「恋の花咲くこともある」を検索する。そして、簡易文検索部１１６は、以下のようにタイトル「世界のバラ園芸ショウが開催」にコンサイス表現「恋の花咲くこともある」を対応付けて、ユーザへ提示する。
-------------------------------------------------------------------------------
「世界のバラ園芸ショウが開催」〜恋の花咲くこともある
-------------------------------------------------------------------------------
【００５５】
図４（パターン２）によれば、位置名称取得部１１５は、携帯端末１を所持するユーザが、過去の所定期間にチェックインした位置名称の行動履歴を蓄積している。ここで、位置名称「飲食店」におけるチェックイン回数が最も多いとする。このとき、位置名称取得部１１５は、その位置名称「飲食店」を、簡易文検索部１１６へを出力する。現に位置する位置名称が「テーマパーク」であっても、「飲食店」が簡易文検索部１１６へを出力される。そして、簡易文検索部１１６は、連想語マッチング部１１３から入力した複数のコンサイス表現の中で、位置名称「飲食店」が登録された「花より団子」を検索する。そして、簡易文検索部１１６は、以下のようにタイトル「世界のバラ園芸ショウが開催」にコンサイス表現「花より団子」を対応付けて、ユーザへ提示する。
-------------------------------------------------------------------------------
「世界のバラ園芸ショウが開催」〜花より団子
-------------------------------------------------------------------------------
【００５６】
尚、簡易文検索部１１６について、位置名称取得部１１５から入力された位置名称が登録されたコンサイス表現が常に発見されるとは限らない。この場合、簡易文検索部１１６は、連想語マッチング部１１３から入力した複数のコンサイス表現の中で、位置名称「＊（デフォルト）」が登録された「薔薇色の人生」を検索する。そして、簡易文検索部１１６は、以下のようにタイトル「世界のバラ園芸ショウが開催」にコンサイス表現「薔薇色の人生」を対応付けて、ユーザへ提示する。
-------------------------------------------------------------------------------
「世界のバラ園芸ショウが開催」〜花より団子
-------------------------------------------------------------------------------
これは、ユーザの周辺状況や行動履歴を反映したものではないが、対象文章が持つ特徴を反映したコンサイス表現となる。
【００５７】
図５は、本発明における簡易文検索サーバを有するシステム構成図である。
【００５８】
図５によれば、簡易文検索サーバ４は、携帯端末１からクエリを受信し、そのクエリに対応する「対象文章及び簡易文の組」を携帯端末１へ返信する。簡易文検索サーバ４は、図５によれば、図１と比較して、対象文章データベース１１７、対象文章検索部１１８及び位置名称受信部１１９のみが追加されている。
対象文章データベース１１７は、大量の対象文章を記憶している。
対象文章検索部１１８は、入力されたクエリに対して、対象文章データベースを用いて、１つ以上の対象文章を検索する。検索された当該対象文章は、重要語抽出部１１２へ出力される。
位置名称受信部１１９は、携帯端末１から、ＳＮＳのチェックイン機能によって取得された「位置名称」を受信する。受信した「位置名称」は、簡易文検索部１１６へ出力される。
最終的に、簡易文検索部１１６は、携帯端末１へ、複数の対象文章の題目（タイトル）と、当該対象文章に対して検出された簡易文とをを組み合わせて、リスト状に検索結果として出力する。
【００５９】
このようなシステムによれば、ユーザインタフェースとして、「クエリや対象文章に対応することわざ（コンサイス表現）」を検索することができる。例えば、ユーザが、ニュースやブログ等の記事の一覧を眺めながら、短時間に興味の湧きそうな記事を選択しようとしているとする。このとき、記事タイトルと並置的に、サブタイトルとして表示されるコンサイス表現は、ユーザの周辺状況や行動履歴に応じて変化する。
【００６０】
ユーザとしては、記事タイトルだけでなく、トピックの理解を助けるような一言（コンサイス表現）も手がかりにして、その記事に目を通す優先度を判断することができる。そのコンサイス表現が内容とよくマッチする場合には、それに印象付けて記事を記憶することに結びつく。
【００６１】
以上、詳細に説明したように、本発明のプログラム、装置及びサーバによれば、対象文章を象徴的に表すコンサイス表現（簡易文）を、ユーザの周辺状況や行動履歴に応じて推定することができる。これによって、対象文章に接した利用者は、その周辺状況や行動履歴に応じたコンサイス表現を一見しただけで、その対象文章の意味的内容に直感的に共感して理解することができる。
【００６２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６３】
１  携帯端末
１０１  通信インタフェース
１０２  ユーザインタフェース
１１０  簡易文記憶部
１１１  対象文取得部
１１２  重要語抽出部
１１３  連想語マッチング部
１１４  ＳＮＳアプリケーション
１１５  位置名称取得部
１１６  簡易文検索部
１１７  対象文章データベース
１１８  対象文章検索部
１１９  位置名称受信部
２  コンテンツサーバ
３  ＳＮＳサーバ
４  簡易文検索サーバ
【図１】
2016004567.tif 000003
【図２】
2016004567.tif 000004
【図３】
2016004567.tif 000005
【図４】
2016004567.tif 000006
【図５】
2016004567.tif 000007